(57)【要約】      （修正有）【課題】医療費が増大し、社会保障費の増大により、国家財政が圧迫される財政危機を回避する方法を提供する。【解決手段】本発明の方法は、高齢者介護施設において、一人あたりの高齢者の平均利用年数を、厚生労働省の監督の下、条件を違えて算出し、どのような医療を施せば良いかが統計的に解明し、その統計的根拠に基づき実施することにより、財政危機を回避し、財政再建、財政均衡に導く。【選択図】なし【特許請求の範囲】
【請求項１】
高齢者介護施設における高齢者一人あたりの平均利用年数を算出し、比較することを特徴とする財政危機を回避し、財政再建、財政均衡に導く方法。
【発明の詳細な説明】
【発明の詳細な説明】
【技術分野】
【０００１】  本発明は、医療および介護の改革事業に関するものです。
【背景技術】
【０００２】  慶應義塾大学医学部元講師で医師の近藤誠氏の数冊の著書やインタビューの動画によると、睡眠障害、心の病、緩和医療（緩和ケア）の３種類については、医師の力が必要とのことでした。しかしながら、それ以外の、生活習慣病等については、医師の力は必要ない、健康診断も予防接種も受ける必要がないし、御自身も受ける必要がないことに気づいてから、受けていないとのことでした。
【発明の概要】
【発明が解決しようとする課題】
【０００３】  従来、日本においては、たとえば、人生最期に患者を大変苦しめることになるとも推定される延命医療が一般的に行われ、このことに膨大な医療費がかかり、財政再建の妨げとなっているのは、御承知のとおりです。
近藤誠氏によると、上記の３種類以外について、医療行為をすると、心身に大変な負担をかけることになり、延命だけの状態を除く、健康状態での寿命を縮めてしまうことになるとのことでした。自分の身体を信頼し、自然治癒力に委ねるべきだとのことです。こうしたことに関連してお伝えします。
私は、３０歳頃だったと思いますが、痔になったことがあります。当時、何か病になったら、最初から大病院に行った方が良いと思い、大病院に行きました。そこで、外科の医師の方が、ズボンを脱いで「あー」と言って下さいと言われ、そのとおりにしていると、肛門から指を深くまで入れられました。筆舌に尽くしがたいほどの激痛に襲われ、病院中にでも聞こえるような大声で絶叫させられました。２名の外科の医師の方から、同じことを毎回されました。また、普段の生活では、時々、剣で突き刺されるような激痛に遭遇していました。このような生活を半年ほどだったでしょうか、続けたある日、いつものように病院へ行くと、いつもと違う外科の医師の方が担当されました。その医師の方に、「先生も、肛門に指を入れられますか？」と憔悴しなから、お尋ねしたところ、「そのようなことはしませんよ。便座から水が出る機械が無いようでしたら、トイレットペーパーに水をつけて拭けば良いですよ」ということに近いことを教えて頂きました。それを実践したところ、痔がなんとピタリと治りました。それ以後、病院に行っていません。
以上のことから言えることは、医学は、科学ですから、おそらく医師の方々の間で、基本的な治癒方法は、知られているはずです。ということは、上記の２名の医師の方々は、トイレットペーパーに水をつけて拭くようにして行けば、私の場合の痔は治ることを知っておられなから、毎回、国民の皆様に対しても保険料として高額な医療費を取り、さらに患者の私に大変な激痛で、大声で絶叫させ、私の身体をもてあそんでおられていたことが分かりました。
しかしながら、私は、上記の２名の医師の方々に、慰謝料や損害賠償の請求をしようと思えば、いつでもできますが、今後もするつもりは、全くありません。
上記の２名の医師の方々をはじめ、世の中で同じようなことをしておられる医師の方々を、人の道理にかなった正しい道へお導き申し上げ、未来世に向けて、悪業（あくごう）の清算、罪障消滅のために苦しむということの無いよう、憂いの無い素晴らしい幸せな人生を謳歌して頂くためです。
悪業を積んでいる方々は、私が裁かなくても、神佛（しんぶつ）が裁かれるであろうと何となく、気づいていたこともあります。２０１７年から私は、ある所で勉強し、実際に日常生活において神佛のはたらきを身に染みるほど実感していますが、そこで知る内容でも、そうしたことがあることが分かります。
人間同士で裁こうとすると、人として一番大切な和、すなわち和合が崩れます。よって、私は、理不尽なことをされた場合には、一方では、出来る限りの現実的な防衛手段をどこまでも取りますが、もう一方で、それでも何ともならないことは、あとは全て神佛にお委ねするようにしています。
そもそも理不尽なことを受けること自体、神佛からあなたのこういうところが、神佛の意図から外れているよという、神佛からの知らせ、合図、警告である場合があると、教えられています。自分が直すべきところを直せば、事態が解消することを経験しました。神佛のお力は、想像をはるかに超えるほど広大無辺、絶大であることを、今では実感しています。私の経験では、神佛は、人がどのような心で行動しているか、心の隅々まで全て詳細に御存知であることを、今では実感しています。
古典に「恨みに報ゆるに徳を以てす」というものがあります。
個人、民族、国家も、２０１７年現状においては、多くは、恨みに対して、恨みで報いてしまっています。個人、民族、国家の紛争の連鎖を、徳で報いることによって、重要なことは、徳で報いた側自身の中での悪の連鎖を断ち切ることができるということです。その仕組みを理解し、実行される方々で全世界が満たされた時、結果的に世界平和が実現します。
すなわち、恨みに対して、徳で報いることにより、徳で報いる人は、そのことに関わるそれ以降の悪業を積まないので、これにより、徳で報いる人が、最優先で救われます。こうした仕組み、すなわち構造に気づく必要があるのです。
こうした仕組みや構造に気づいてしまえば、恨みで報いることができなくなります。当然のように、誰でも徳で報いることになります。
もっと分かりやすくお伝えしましょう。別の国家、民族、個人が勝手に一方的に自分達だけの利益便宜を図ったら、すなわち関係者、関係機関に損害を与えることを分かっていながら、そこを和合調整することなく、一方的に自分達だけの利益を獲得すれば、今世または未来世において、その実行の命令を下した実質的な責任者の方が、神佛によって、裁かれることになります。よって、害を被った側は、その件に関して、全面的に神佛に委ね、自らは、ひたすら徳を積み続ければよいと、すっきりと分かります。
害を被った側は、害を被ることにより、過去世および今世の悪業の償いができます。
よって、そのことに感謝できます。よって、構造、仕組みに気づいていれば、恨みで報いることなく、私のように、自然と徳で報いることができるのです。
今世で一方的に自分達だけの利益便宜をしたことは、今世もしくは未来世まで、悪業の償いを持ち越すことになります。いずれは、今世もしくは未来世において、神佛がら、病などで清算させられることになります。
悪業を全てあがない終えれば、そもそもそのような家族や社会には生まれて来ないことが分かります。
世界平和に至る、国家、民族、個人にも汎用性がある答え、道は、以上のことです。
実行を始めた個人、個人から、まず、その個人の中での平和、個人平和が成立して行くことに気づくことです。
個人平和が多数集まって行く過程が、世界平和に向かって行く過程です。
恨みに対して恨みで報いてしまうことなく、恨みに対して徳で報いるということから、さらに話を進めます。
もし相手を恨むあるいは相手を批判する、非難する、否定すると、相対的に相手の立場が下がることは明白です。そうすると、自動的に自分が偉くなったような錯覚になることに気づく必要があります。単なる自己満足で終わり、自分は何も勉強や進歩や幸福に近づくことなく終わってしまいます。これでは何も生産できていません。それどころか自分の心が荒廃して、自分の心に悪影響を及ぼしてしまいます。
よって、私の場合は、他者や相手を批判する、非難する、否定するということを一切しないようにしています。その代わりに、他者や相手が、世の中の法則にかなった正しい道へ向かい、心から幸せになって頂く協力をさせて頂くという立場を取っています。こうした立場を、総協力の立場と命名しています。
この総協力の立場も、個人平和、世界平和への移行に不可欠の要素です。
２０００〜２００９年までの９年間、ＮＨＫで「その時歴史が動いた」というテレビ番組が放送されていました。サントラテーマを時々聴きながら、歴史上の方々の働きに思いを馳せ、涙をこぼしながらでも構いません。さあ、この書面を読まれているあなたも、私と御一緒に、個人平和、世界平和に向けて歩き始めましょう。
私は、痔を完治させた後、うつ病を発症しました。担当医に原因を聞いたところ、うつ病は、ストレスが原因だとのことでした。２名の医師の方々から受けた多大なる連続する激痛は、ストレスを起こし、うつ病までも引き起こすことを、身を持って体験しました。
私の父は、緑内障で何度も手術を受けています。手術時は、手と足を拘束され、麻酔をかけてもらっても効いていなくて、筆舌に尽くしがたいほどの激痛で絶叫していても、手術が続行されるそうです。激痛で気絶したこともあるそうです。
私や父で起こった医療の状態が、２０１７年現在における日本の医療の状態の一部です。こうした状態を垣間見ることができます。
もう、こうした非人道的な医療の時代は、私たちの手で、幕を引かなくてはなりません。人道的な医療の時代に移行させなくてはなりません。
ともあれ、医療界の課題は、私が体験したような不必要な医療行為をし、患者の方々の大切な身体をもてあそび、苦しめる医師の方々が実際におられ、保険適用分を含めると、高額な治療や薬の投与が行われ、これが原因で、医療費、社会保障費が増大し、財政を圧迫している現状が、２０１７年現在の少なくとも日本においては、存在する事実です。
私は、こうした貴重な経験をさせて頂き、上記のようなことをされる医師の方々が、真っ当な人の道を歩んで頂き、悪業を積まないようにして頂くようにお導き差し上げようと思っております。私が今世、上記の２名の医師の方々から、筆舌に尽くしがたいほどの大変な苦痛を受けたのは、過去世において、私が他者を同じように苦しめていたからなのかもしれません。確かめられないがその可能性がある、もしくは、やっていなくても、今世、こうしたことを世の中にお知らせし、改革する使命を持って生まれて来たために、償うべきことは何もないのに、経験させられたのかもしれないと思いました。
それならば、この書面を読まれた例外なく全ての方々、関係者の方々とともに、もちろん、上記の２名の医師の方々さえとも、和合協力して、未来志向で、世の中を良くして行きます。
近藤氏の説も、現時点では説であるだけです。近藤氏は、実際に、御自分の説が正しいかどうか医学界あるいは厚生労働省で認証されるような科学的検証をしておられないところが、大変惜しいです。科学的な検証を経て医学界あるいは厚生労働省で認証され、結果が公表されれば、無用な批判を浴びずに済みます。もし説が間違っていれば、間違った説を唱える必要も無くなります。公的に臨床試験をする必要があります。公的な臨床試験を経て、医学的に明白にする必要があります。
現状の問題点は、説だけが飛び交い、一般の方々が、どの説を選択すれば良いか、分からず混乱してしまっていることです。
【課題を解決するための手段】
【０００４】  以上の課題を解決するための手段をここに提供いたします。
それは、高齢者介護施設において、睡眠障害、心の病、緩和ケアの３種類以外の医療は施さない、すなわち慶應義塾大学医学部元講師の近藤誠氏によると、人間の身体を信頼し、自然治癒力に委ねる、近藤氏の説に基づいた型、近藤氏はおそらくこれが先進的だと思っておられると思いますので、先進型（以下Ｓ型と呼ぶ）の施設と、従来どおり、全ての医療を施す、すなわち近藤氏によると、不必要な医療を施し、患者を苦しめ、医療費負担を選択する、従来の型（以下Ｊ型と呼ぶ）の施設とにおいて、一人あたりの平均利用年数を数値として統計を取ることです。ここは、科学的な数値、公平な数値を算出するために、厚生労働省からの直接の監督の下、記録を取り、５年後以降、毎年、１０年後、およびそれ以降において、数値を世の中に厚生労働省が公表すると、一目瞭然となります。すなわち、公的な臨床試験をするということです。
この事業が具体的に始まって行く段階においては、次のようにします。
高齢者介護施設の中で、高齢者とその家族の希望を踏まえ、Ｓ型選択の高齢者と、Ｊ型選択の高齢者に区分し、その希望どおりにサービスを施し、一人あたりの平均利用年数の統計を算出すると、自ずと、結果が判明し、結果判明以降は、どちらの道を取れば良いか明白になります。
近藤氏の説から予測すると、Ｓ型は健康で長寿になりますから、相対的に施設の利用年数が長くなり、Ｊ型は延命治療の期間を除けば、病気がちで短命に終わりますから、相対的に施設の利用年数が短くなります。
なお、人生最期においては、Ｓ型は、もし苦しみがあれば、苦しみを緩和する緩和ケア、緩和医療を受け、Ｊ型は、人生最期において、臓器に穴を開け、その穴から栄養を流し込まれ、苦しむかもしれない、命を意味もなく延ばし続ける延命医療を受けることになります。
延命医療を解消するだけでも、大変膨大な医療費が解消し、財政圧迫を解消し、財政再建、財政均衡に向かい、高齢者を苦しめる危険性も無くなり、延命医療の従事者の方々も、未来世における、延命医療による負債分の清算で苦しむことも無くなります。
要素のＳ型、Ｊ型を（１）とします。
（２）速読が認知症予防に効果があるとの説があります。速読を早読みと読み替えて、実行する方をＹＥＳ、すなわち実行する方は、ＨＹ型と命名、速読を実行しない方は、ＮＯ、よってＨＮ型と命名し、Ｓ型、Ｊ型の中で各々場合分けし、統計を取れば、これらも数値的に明白になります。
以上の規則性に基づきますと、下記のように調べることができます。
（３）ＤＲＴという整体が万病に効果があるとの説があります。ＤＹ型、ＤＮ型
施設の平均利用年数が長い方が、相対的に身体に良く、逆に、短い方が、相対的に身体に悪いということが、数値的に、明白となります。こうした検証を、厚生労働省の監督の下に行うのです。厚生労働省は、国の機関なので、国民の表現の自由を制約することはできませんが、科学的検証を行い、結果を公表することはできます。厚生労働省は、こうした活動を推進して行くことにより、害があるものは害がある、無意味なものは無意味、意味のあるものは意味があると、国民が迷わなくても済むようにして行くと、社会貢献度がさらに一層高まります。
現状では、様々な療法、あるいは様々なセカンドオピニオンが出て来ていて、当事者になった国民の方々が迷ってしまっています。
数値の違いがさほど変わらなければ、あるいは、値を多数とっても、バラツキがあるのであれば、原因とは言えないと判明しますし、数値に大きく表れれば、原因と言えると判明します。
要約すると、その他にも、健康に良いのか悪いのか説が分かれる案件は、たとえば、このように統計を取って、厚生労働省の監督の下、数値を公表する必要があります。
また、（２）（３）により、介護必要から介護不要にできる可能性があります。
介護不要になって利用を休止し、人生最期に利用した場合には、休止期間も含めて利用期間を算出する必要があります。
施設の利用者が介護不要に向かって行く中で、介護スタッフによる介護の負担が軽くなって行くことになります。
ちなみに、（１）（２）（３）だけでは、病や負傷を治癒させることができないことを、私は経験しています。たとえば、上記の痔では、トイレットペーパーに水を含ませて拭くか、ウォッシュレットを使用する必要があります。便秘になったら、腹部をよく押さえて、便の通りを良くする必要があります。
さて、近藤氏の説に基づいて、上記のように統計を取って、数値比較し、現在の近藤氏の説を踏まえれば、数値的に明確になった後、医療業界は、睡眠障害対応、心の病対応、緩和ケア対応の３種類を除いて、大幅に縮小されることが予想されます。
しかしながら、医療業界におられる方々は、もともと頭脳明晰な優秀な方々です。
人類は、２０１７年の現在、たとえば再生可能エネルギー開発に手間取っています。医療業界から、たとえば、再生可能エネルギー業界、その他、人類にとって必要な業界へ、人材や資金が、ダイナミックに移行し、貴重な人材、資金が有効に活用される輝かしい時代に至ることを祈念いたしております。